【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
メモリシステムを利用する方法であって、該メモリシステムは、不揮発性メモリを含み、該不揮発性メモリは、少なくとも１つの保留メモリ領域を含み、該方法は、
電力を該メモリシステムに提供する工程と、
該不揮発性メモリを初期化する工程と、
第１の署名を該少なくとも１つの保留メモリ領域に書き込む工程であって、該第１の署名は該メモリシステムの初期化が成功したことを示すように構成されている、工程と
を包含する、方法。
【請求項２】
前記メモリシステムの電源切断プロセスを実行する工程と、
第２の署名を前記少なくとも１つの保留メモリ領域に書き込む工程であって、該第２の署名は該電源切断プロセスが実行されたことを示すように構成されている、工程と
をさらに含む、請求項１に記載の方法。
【請求項３】
前記第２の署名を少なくとも１つの保留メモリ領域に書き込む工程の後に、前記メモリシステムから電力を取り除く工程をさらに含む、請求項２に記載の方法。
【請求項４】
前記第２の署名を少なくとも１つの保留メモリ領域に書き込む工程は、さらなる情報を該第２の署名と共に該少なくとも１つの保留メモリ領域に書き込む工程を含む、請求項２に記載の方法。
【請求項５】
前記少なくとも１つの保留メモリ領域はブロックであり、前記第２の署名を少なくとも１つの保留メモリ領域に書き込む工程は、該第２の署名を該ブロックに含まれる第２のページに書き込む工程を含み、
前記第１の署名を少なくとも１つの保留メモリ領域に書き込む工程は、該第１の署名を該ブロックに含まれる第１のページに書き込む工程を含む、請求項２に記載の方法。
【請求項６】
前記電源切断プロセスは、ファイルコピープロセスを完了する工程および前記不揮発性メモリに関連付けられた物理ブロックを決定する工程のうちの少なくとも１つを含む、請求項２に記載の方法。
【請求項７】
前記第１の署名を少なくとも１つの保留メモリ領域に書き込む工程は、さらなる情報を該第１の署名と共に該少なくとも１つの保留メモリ領域に書き込む工程を含む、請求項１に記載の方法。
【請求項８】
前記少なくとも１つの保留メモリ領域はブロックであり、前記第１の署名を該少なくとも１つの保留メモリ領域に書き込む工程は、該第１の署名を該ブロックに含まれる第１のページに書き込む工程を含む、請求項１に記載の方法。
【請求項９】
少なくとも１つの保留メモリ領域を含む不揮発性メモリと、
電力を提供する手段と、
該不揮発性メモリを初期化する手段と、
第１の署名を該少なくとも１つの保留メモリに書き込む手段であって、該第１の署名は該不揮発性メモリの初期化が成功したことを示すように構成されている、手段と
を備える、メモリシステム。
【請求項１０】
前記メモリシステムの電源切断プロセスを実行する手段と、
第２の署名を前記少なくとも１つの保留メモリ領域に書き込む手段であって、該第２の署名は該電源切断プロセスが実行されたことを示すように構成されている、手段と
をさらに含む、請求項９に記載のメモリシステム。
【請求項１１】
前記少なくとも１つの保留メモリ領域はブロックであり、前記第１の署名を該少なくとも１つの保留メモリ領域に書き込むことは、該第１の署名を該ブロックに含まれる第１のページに書き込むことを含み、前記第２の署名を少なくとも１つの保留メモリ領域に書き込むことは、該第２の署名を該ブロックに含まれる第２のページに書き込むことを含む、請求項１０に記載のメモリシステム。
【請求項１２】
前記初期化手段は、コントローラを備え、該コントローラは、前記不揮発性メモリを初期化し、第１の署名を前記少なくとも１つの保留メモリ領域に書き込むように構成されている、請求項９に記載のメモリシステム。
【請求項１３】
メモリシステムを利用する方法であって、該メモリシステムは、不揮発性メモリを含み、該不揮発性メモリは、少なくとも１つの保留メモリ領域を含み、該方法は、
電力を該メモリシステムに提供する工程と、
該メモリシステムが実質的に正常な電源切断プロセスに以前にかけられたことがあるかどうかを判定する工程と、
該メモリシステムが正常な電源切断プロセスに以前にかけられたことがないという判定に応答して、該不揮発性メモリ上で第１のプロセスを実行する工程であって、該第１のプロセスは該不揮発性メモリを使用に備えて準備するように構成されている、工程と、
該メモリシステムが正常な電源切断プロセスに以前にかけられたことがあるという判定に応答して、該不揮発性メモリが用いられることを可能にする工程と
を包含する、方法。
【請求項１４】
前記不揮発性メモリが用いられることを可能にする工程は、第１の署名を前記少なくとも１つの保留メモリ領域に書き込んで、該不揮発性メモリが実質的にイネーブルされたことを示す工程を含む、請求項１３に記載の方法。
【請求項１５】
前記メモリシステムが実質的に正常な電源切断プロセスに以前にかけられたことがあるかどうかを判定する工程は、前記少なくとも１つの保留メモリ領域が第１の署名を含むかどうかを判定する工程であって、該第１の署名は、正常な電源切断プロセスが以前に起きたことを示すように構成されている、工程を含む、請求項１３に記載の方法。
【請求項１６】
前記メモリシステムが実質的に正常な電源切断プロセスに以前にかけられたことがあるかどうかを判定する工程は、前記少なくとも１つの保留メモリ領域が第２の署名を含むかどうかを判定する工程であって、該第２の署名は、該メモリシステムが初期化プロセスに以前にかけられたことがあることを示すように構成されている、工程を含む、請求項１５に記載の方法。
【請求項１７】
前記少なくとも１つの保留メモリ領域が、前記第２の署名を含まず、かつ、前記第１の署名を含まないという判定に応答して、前記第１のプロセスは、初期化プロセスである、請求項１６に記載の方法。
【請求項１８】
前記少なくとも１つの保留メモリ領域が、前記第２の署名を含み、かつ、前記第１の署名を含まないという判定に応答して、前記第１のプロセスは、データ修復プロセスであり、
該データ修復プロセスは、前記不揮発性メモリ内のメモリを修復するように構成されており、
該データ修復プロセスは、ファイルコピープロセスを完了する工程および前記不揮発性メモリと関連付けられた物理ブロックを決定する工程のうち少なくとも１つを含む、請求項１６に記載の方法。
【請求項１９】
前記第１のプロセスは、データ修復プロセスおよびメモリ初期化プロセスのうちの１つである、請求項１３に記載の方法。
【請求項２０】
少なくとも１つの保留メモリ領域を含む不揮発性メモリと、
電力を該メモリシステムに提供する手段と、
該メモリシステムが実質的に正常な電源切断プロセスに以前にかけられたことがある場合を判定する手段と、
該メモリシステムが正常な電源切断プロセスに以前にかけられたことがないと判定された場合、該不揮発性メモリ上で第１のプロセスを実行する手段であって、該第１のプロセスは該不揮発性メモリを使用に備えて準備するように構成されている、手段と、
該メモリシステムが正常な電源切断プロセスに以前にかけられたことがあると判定された場合、該不揮発性メモリが用いられることを実質的に可能にする手段と
を包含する、メモリシステム。
【請求項２１】
前記不揮発性メモリが用いられることを実質的に可能にする手段は、第１の署名を前記少なくとも１つの保留メモリ領域に書き込んで、該不揮発性メモリが実質的にイネーブルされたことを示す手段を含む、請求項２０に記載のメモリシステム。
【請求項２２】
前記メモリシステムが実質的に正常な電源切断プロセスに以前にかけられたことがある場合を判定する手段は、前記少なくとも１つの保留メモリ領域が第１の署名を含む場合を判定する手段であって、該第１の署名は、正常な電源切断プロセスが以前に起きたことを示すように構成されている、手段を含む、請求項２０に記載のメモリシステム。
【請求項２３】
前記メモリシステムが実質的に正常な電源切断プロセスに以前にかけられたことがある場合を判定する手段は、前記少なくとも１つの保留メモリ領域が第２の署名を含む場合を判定する手段であって、該第２の署名は、該メモリシステムが初期化プロセスに以前にかけられたことがあることを示すように構成されている、手段を含む、請求項２２に記載のメモリシステム。
【請求項２４】
前記少なくとも１つの保留メモリ領域が、前記第２の署名を含まず、かつ、前記第１の署名を含まないことが判定された場合、該第１のプロセスは、初期化プロセスである、請求項２３に記載のメモリシステム。
【請求項２５】
前記少なくとも１つの保留メモリ領域が、前記第２の署名を含み、かつ、前記第１の署名を含まないことが判定された場合、該第１のプロセスは、データ修復プロセスである、請求項２３に記載のメモリシステム。
【請求項２６】
前記判定する手段は、制御デバイスを含み、
該制御デバイスは、前記メモリシステムが正常な電源切断プロセスに以前にかけられたことがあるかどうかを判定し、該メモリシステムが正常な電源切断プロセスに以前にかけられたことがないという判定に応答して、前記不揮発性メモリ上で第１のプロセスを実行するように構成されており、該第１のプロセスは、該不揮発性メモリを使用に備えて準備するように構成されており、
該制御デバイスは、該メモリシステムが正常な電源切断プロセスに以前にかけられたことがあるという判定に応答して、該不揮発性メモリが用いられることを可能とする、請求項２０に記載のメモリシステム。